(57)【要約】  ディスペンサーは、出口を備えた本体と、出口の密閉部とを含む。密閉部と本体とは、出口が開く開放位置と密閉部が出口を閉じる閉鎖位置との間で互いに対して枢動可能に移動可能である。密閉部と本体とは、閉鎖位置で互いに固定係合するように適合される。密閉部は、閉鎖位置で、密閉部と本体とを固定する及び密閉部と本体との固定を解除する固定部材を有する。固定を解除するために、固定部材に加えられる力は、密閉部を開放位置の方へ付勢する。ディスペンサーは、分配される材料の所望位置への塗布を好ましくは容易にする。
2013510051.tif 000002
【特許請求の範囲】
【請求項１】
出口を備えた本体と、前記出口のための密閉部と、を含むディスペンサーであって、
−前記出口が開く開放位置と前記密閉部が前記出口を閉じる閉鎖位置との間で前記密閉部が前記本体に対して移動可能であるように、前記密閉部は、第１の枢動可能な相互連結部によって前記本体において枢動可能に相互連結され、
−前記密閉部と前記本体とは更に前記閉鎖位置で互いに固定係合するように適合され、
−前記密閉部は固定部材を有し、当該固定部材は、前記閉鎖位置で前記密閉部を前記本体と固定するのを可能にする固定位置と、前記密閉部の固定を解除して前記閉鎖から前記開放位置の方に移動する固定解除位置と、の間で前記密閉部に対して移動可能であり、
−前記固定部材は、前記固定と前記固定解除位置との間で前記固定部材を移動させる作動装置を有し、
−前記固定部材を前記固定解除位置の方へ移動させるために、前記本体に対して前記作動装置に加えられた力が、また前記密閉部を前記開放位置の方へ付勢するように、前記作動装置と前記本体とが前記第１の枢動可能な相互連結部に対して配置される、ディスペンサー。
【請求項２】
前記固定部材は前記固定位置の方へ弾力的に付勢される、請求項１に記載のディスペンサー。
【請求項３】
前記固定部材は第１の保持装置を有し前記本体は第２の保持装置を有し、前記第１の保持装置と前記第２の保持装置とは、前記閉鎖位置で前記密閉部と前記本体とを固定するために互いに係合するように適合される、請求項１又は２に記載のディスペンサー。
【請求項４】
前記固定部材を前記密閉部と前記本体との前記閉鎖位置で前記固定解除位置の方へ移動させることにより、前記第１の保持装置と前記第２の保持装置とを係合解除して、前記密閉部と前記本体とが前記閉鎖から前記開放位置の方へ移動することを可能にする、請求項３に記載のディスペンサー。
【請求項５】
前記固定部材は前記密閉部に枢動可能に連結して第２の枢動連結部を形成し、前記第２の枢動連結部は前記固定部材の第１の枢軸を形成する、請求項１〜４のいずれか一項に記載のディスペンサー。
【請求項６】
前記第１の枢軸と前記作動装置との間の前記固定部材が支持体を含み、前記固定部材が前記固定解除位置の方へ操作されるとき、前記支持体が前記密閉部に接するように配置されて、前記固定部材の第２の枢軸を形成する、請求項５に記載のディスペンサー。
【請求項７】
容器から分配される材料を受け入れる入口を有し、前記入口は前記出口に対向して配置され、前記ディスペンサーは前記入口と前記出口とを通って延びる長手方向軸線を有し、前記固定部材は前記長手方向軸線に概ね平行に延びる、請求項１〜６のいずれか一項に記載のディスペンサー。
【請求項８】
前記作動装置は、前記固定部材の自由端を形成し、前記固定部材は、前記作動装置が前記入口から前記出口に向かう方向に実質的に一致する方向に延びるように配置される、請求項７に記載のディスペンサー。
【請求項９】
前記固定部材は前記密閉部と共に１つの部品を形成する、請求項１〜８のいずれか一項に記載のディスペンサー。
【請求項１０】
前記密閉部と前記本体とは前記密閉部の第１の側に隣接するヒンジによって相互連結され、前記固定係合は対向する第２の側に隣接する固定によってもたらされる、請求項１〜９のいずれか一項に記載のディスペンサー。
【請求項１１】
前記ヒンジは前記本体と前記密閉部とを、前記開放と前記閉鎖位置との間の中間位置から前記開放又は前記閉鎖位置の方へ自動的に付勢するように適合される、請求項１０に記載の装置。
【請求項１２】
前記ヒンジは前記密閉部及び前記本体と共に１つの部品を形成するリビングヒンジによって形成される、請求項１０又は１１に記載のディスペンサー。
【請求項１３】
前記密閉部が、前記閉鎖位置において、前記第１の側と前記第２の側との間で前記出口を覆うように適合される、請求項１０〜１２のいずれか一項に記載のディスペンサー。
【請求項１４】
前記密閉部は前記閉鎖位置で前記出口上に偏倚される、請求項１〜１３のいずれか一項に記載のディスペンサー。
【請求項１５】
前記密閉部は前記閉鎖位置で前記出口を封止する封止体を含む、請求項１〜１４のいずれか一項に記載のディスペンサー。
【請求項１６】
分配される前記材料を受け入れる容器を含む、請求項１〜１５のいずれか一項に記載のディスペンサー。
【請求項１７】
前記出口を形成する滴下ノズルを含む、請求項１〜１６のいずれか一項に記載のディスペンサー。
【発明の詳細な説明】
【技術分野】
【０００１】
本発明は流動性材料、特に歯科用材料を分配する装置に関する。
【背景技術】
【０００２】
歯科用材料は、歯科医の診療所で材料の調製及び／又は塗布を容易にするために設計された包装体で提供されることが多い。歯科用流動性材料は、例えば、滴下瓶でしばしば提供され、滴下瓶はユーザーが所望量を容易に計量できるように、材料が滴下で分配されることを可能にする。
【０００３】
例えば米国特許第５，２４６，１４５号は、瓶に固定可能な分配密閉部を備えた滴下瓶組立体を開示する。分配密閉部は滴下噴出口と、噴出口を閉じる別個のキャップと、を有する。キャップは噴出口を開口し再閉するために分配密閉部に枢動可能に固定される。滴下瓶は噴出口を閉じたキャップを固定する固定機構を更に有する。
【発明の概要】
【発明が解決しようとする課題】
【０００４】
ある点で利点を提供し得る様々な異なる包装体が歯科医術で使用されているが、使いやすく、比較的安価で、含まれる材料の比較的長い保管寿命を提供する包装体の必要性が依然として存在する。更に、既存の設備を使用して製造及び／又は充填が可能で、しかもユーザーに取り扱いにおける利点を提供しかつ比較的低価格で利用可能な、滴下瓶の必要性が特に存在する。
【課題を解決するための手段】
【０００５】
本発明は、出口を備えた本体と、出口のための密閉部と、を含むディスペンサーに関する。出口が開く開放位置と密閉部が出口を閉じる閉鎖位置との間で、密閉部が本体に対して移動可能であるように、密閉部は、第１の枢動可能な相互連結部によって本体において枢動可能に相互連結される。更に密閉部及び本体は、少なくとも閉鎖位置で互いに固定係合するように適合される。密閉部は、固定部材を有し、その固定部材は、固定位置と固定解除位置との間で密閉部に対して移動可能である。固定位置は、閉鎖位置で密閉部を本体と固定するのを可能にし、一方で固定解除位置は、密閉部の固定を解除して閉鎖から開放位置の方に移動することができる。したがって、固定位置に対して、固定解除位置は、密閉部及び本体が互いに対して閉鎖位置から開放位置の方に移動することを好ましくは可能にする。固定部材は、固定と固定解除位置との間で固定部材を移動させる作動装置を有する。更に作動装置は、固定部材を固定解除位置の方へ移動させるために、本体に対して作動装置に加えられた力が、また密閉部を開放位置の方へ付勢するように、作動装置と本体とが第１の枢動可能な相互連結部に対して配置される。好ましくは、作動装置上に力を加えることで密閉部及び本体を開放位置の方に付勢するのに好適な回転方向を有するトルクを、本体と密閉部との間に生じさせる。
【０００６】
本発明は従来技術の装置に比べて、ユーザーによる円滑化した操作を提供できることにおいて有利である。特に本発明は、片手だけを使ったディスペンサーの操作によって、例えば、実質的に一方向に単一の動きによって、ディスペンサーの固定を解除する及び開くことを可能にすることができる。本発明は更に、密閉部の本体からの固定を解除するのに必要な力が比較的小さくてすむ可能性がある。本発明は出口を比較的きつく封止することができることにおいても有利であり得る。その結果、分配される材料がディスペンサーの閉鎖位置で出口を通って漏れることを防止することができる。更に本発明は、密閉部を装置に固定することができるのでディスペンサーが開放位置で浪費されない。ユーザーがディスペンサーを簡単に再閉することができるので、これは分配される材料の比較的長い保管寿命の達成に役立ち得る。本発明はまた比較的安価な製造を可能にし得る。具体的には、ディスペンサーは一体成形として、又は少なくとも最低量の部品で形成され得るので、例えば、組立工程が削除されることにより、コストを最小限に抑えるのに役立ち得る。
【０００７】
一実施形態では、固定部材は固定位置の方へ弾力的に付勢される。例えばディスペンサーは、固定位置にある固定部材を備えて（例えば、密閉部及び本体が開放位置にある状態で）形成（例えば、プラスチック成形）されてもよい。この実施例でディスペンサーは、固定部材を固定位置以外からリセットするのに十分な、ある天然弾性を備える材料で製造されてもよい。その結果、バネ等の弾力のある更なる要素が節約され得る。固定部材は例えば、密閉部と共に１つの部品を形成してもよい。
【０００８】
別の実施形態で固定部材は、第１の保持装置を有し、本体に第２の保持装置を有する。第１の保持装置及び第２の保持装置は、閉鎖位置で密閉部及び本体を固定するために互いに係合するように好ましくは適合される。したがってディスペンサーの閉鎖位置で、第１の保持装置及び第２の保持装置は、密閉部が開放位置の方へ移動するのを防止するように適合されてもよい。更にディスペンサーは、ディスペンサーの閉鎖位置で、固定部材を固定解除位置の方へ移動させることで第１の保持装置及び第２の保持装置が係合解除するように構成されてもよい。したがって密閉部の閉鎖から開放位置の方への動きを可能することができる。
【０００９】
一実施形態で固定部材は、第２の枢動可能な相互連結部によって密閉部に枢動可能に相互連結される。その結果、第１の枢動可能な相互連結部は密閉部と本体との間で、相対的な回転能力を与えることができ、一方で第２の枢動可能な相互連結部は固定部材と密閉部との間で、相対的な回転能力を与えることができる。したがって、例えばディスペンサーの使用で、密閉部を閉鎖から開放位置の方へ移動させるために、密閉部は第１の回転方向で本体に対して回転可能であってもよい。更に、固定部材を固定位置から固定解除位置の方へ移動させるために、固定部材は第２の回転方向で密閉部に対して回転可能であってもよい。好ましくは第１の回転方向及び第２の回転方向は一般的に互いに対応する。その結果、密閉部及び本体の互いの固定を解除するために固定部材を操作することは、好ましくは密閉部及び本体を開放位置の方へ付勢させることにもなる。これは、ディスペンサーを片手だけで操作し得るので、歯科医術で装置を使用することにおいて特に有利であり得る。例えば歯科医は患者を治療するとき、鏡又はプローブ等の歯科用器具を保持するために片手が要る場合があり、そのため治療に必要な材料を患者の口に分配するのに片手だけしか使えない場合がある。本発明によるディスペンサーによって、歯科医は片手だけを使って装置を開け再閉することができるだけでなく、材料を分配することもできる。したがって比較的簡単にディスペンサーを使用することができ、特に歯科の使用で患者の治療時間の短縮を提供し得る。
【００１０】
一実施形態で第１の枢動可能な相互連結部及び第２の枢動可能な相互連結部はそれぞれ、第１の回転軸線及び第２の回転軸線のまわりで回転能力を与える。第１の回転軸線及び第２の回転軸線は、互いに離間して配置されてもよく、一般的に互いに平行に延びてもよい。
【００１１】
固定部材と密閉部との間の第２の枢動可能な相互連結部は、固定部材の第１の枢軸を形成してもよい。例えば固定部材は、作動装置を含む第１の自由端及び密閉部と連結する対向する第２の端部を有してもよい。固定部材と密閉部との間の連結部は、例えば弾性の枢軸を形成してもよく、弾性の枢軸は、固定部材を移動させることができる一方で、固定部材自体は実質的に剛性であってもよい。固定部材は支持体を更に含んでもよく、固定部材が固定位置から固定解除位置の方へ操作されるとき、支持体が密閉部に接するように配置される。支持体は固定位置で密閉部から離間して配置されてもよい。支持体は第１の枢軸と作動装置との間で、固定部材に配置されてもよい。したがって支持体は固定部材の第２の枢軸を形成し得る。例えば固定部材は、固定解除位置の方へ移動すると、支持体が密閉部に接するまで、第１の枢軸のまわりを移動し得る。一旦支持体が密閉部に接すると、固定部材は第２の枢軸の周りを移動し得る。したがって固定部材の動きは、支持体が密閉部から離間している最初のストローク及び支持体が密閉部に接する次のストロークを有し得る。以下に、より詳細に説明されるように、最初のストロークは密閉部と本体との間の前張力（例えば出口上に密閉部をしっかりと保持するために使用される）を主に取り除くことができ、一方で次のストロークは第１の保持装置及び第２の保持装置を比較的素早く係合解除することができる。したがって比較的小さい操作力でディスペンサーを比較的素早く開くことを達成できる。これは更に、装置の比較的簡単な操作を提供し得る。
【００１２】
別の実施形態で第１の保持装置又は第２の保持装置はフック形状であり得る。この場合、第１の保持装置及び第２の保持装置を係合解除することで、保持装置の固定を解除するために互いに対して移動する間、密閉部が閉鎖位置の方へ付勢されることができる。これは保持装置が係合しているとき、より確実な固定を提供し得る。
【００１３】
一実施形態でディスペンサーは容器から分配される材料を受け入れる入口を有する。入口は出口に対向して配置されてもよい。入口は例えば、分配される材料を貯蔵するように適合される容器に出口を連結させてもよい。ディスペンサーは長手方向軸線を有してもよい。長手方向軸線は入口及び出口を通って（例えば入口及び出口のほぼ中心を通って）延びてもよい。更に長手方向軸線は第１の回転軸線と第２の回転軸線との間に配置されてもよい。長手方向軸線は更に第１の回転軸線及び第２の回転軸線に一般的に垂直に延びてもよい。
【００１４】
一実施形態で固定部材はこの長手方向軸線に一般的に平行に延びる。固定部材の作動装置は固定部材の第１の自由端を形成してもよい。この場合、固定部材は、作動装置が入口から出口に向かう方向に実質的に一致する方向に延びるように配置されてもよい。
【００１５】
別の実施形態で第１の枢動可能な相互連結部はヒンジであってもよい。ヒンジは本体の第１の側に隣接して配置されてもよく、一方で固定係合は対向する本体の第２の側に隣接する固定によって施されてもよい。出口は第１の側及び第２の側との間に施されてもよい。閉鎖位置で密閉部は第１の側と第２の側との間に延在してそれによって出口を覆ってもよい。したがって密閉部は、閉鎖位置で第１の側と第２の側との間で出口を覆うように適合されてもよい。
【００１６】
別の実施形態でヒンジは、本体及び密閉部を開放と閉鎖位置との間の中間位置から開放又は閉鎖位置の方へ自動的に付勢するように適合される。したがって双安定のヒンジが形成されてもよい。双安定のヒンジは、開放又は閉鎖位置のどちらかの方へ自動的に位置することはできるが、中間位置で保持することはできない。ヒンジは、更に、密閉部及び本体と共に１つの部品を形成するリビングヒンジによって形成されてもよい。これは、リビングヒンジが単一製造工程で密閉部及び本体と共に形成され得るので、コストを最小限に抑えるのに役立ち得る。ヒンジは更に密閉部及び本体と共に二段射出成形によって成形されてもよい。したがってヒンジは、やはり密閉部及び本体と共に１つの部品を形成し得るが、密閉部及び本体とは異なる材料で形成され得る。
【００１７】
一実施形態で、密閉部は、閉鎖位置で出口上に偏倚される。密閉部の出口上に偏倚又は前張力は、ディスペンサーの閉鎖位置で、保持装置が係合されることによって維持することができる。前張力は、例えば、ユーザーが密閉部を閉鎖位置の方へ強いることによって蓄積することができる。
【００１８】
別の実施形態で密閉部は、閉鎖位置で出口を封止する封止体を含む。したがって封止体は、材料が出口を通って分配されるのを防ぐために、出口をきつく封止することができる。封止体は、例えば、ゴム封止体であってもよい。更に封止体は、柔軟な熱可塑性材料又は熱可塑性エラストマーで製造されてもよい。したがって本発明は、容器に含まれる材料の最大限の保管寿命を提供することができる。更に閉鎖位置のディスペンサーは、材料がディスペンサーから漏れることなく密閉部を下方に容器を上方にした状態で貯蔵可能であり得る。
【００１９】
一実施形態でディスペンサーは、分配される材料を受け入れる容器を含む。容器は例えば、ディスペンサーの本体の対応する連結具と嵌合する連結具を含んでもよい。連結具（単数又は複数）は、容器を本体に保持できるように、例えばねじ山、又は任意の他の構造を含んでもよい。
【００２０】
別の実施形態で、親指を作動装置に置いたユーザーの手によって容器が固く握られるように、及びユーザーの手から離れた方向に親指を動かすことで作動装置が固定解除位置の方へ移動できるように、作動装置及び容器は互いに対して配置され、固定解除位置に達すると、更に親指を、手から離れた一般的に同じ方向に動かすことで、密閉部は開放位置の方へ移動することができる。
【００２１】
一実施形態で容器は瓶を形成する。瓶は透明の容器壁を有してもよい。透明の容器壁は光フィルター、例えば青色光を遮断する光フィルターを含んでもよい。青色光は例えば、容器に含まれる材料の光開始剤と相互作用し、材料を硬化させる又は別の方法で変質させる可能性がある。したがって、青色光を遮断することは材料が早期に変質するのを防ぐことができ、ゆえに材料の保管寿命を最大化するのに役立ち得る。
【００２２】
容器は更に分配される材料を含んでもよい。材料は例えば歯科用の接着剤であってもよい。
【００２３】
別の実施形態でディスペンサーは出口を形成する滴下ノズルを含んでもよい。滴下ノズルは材料の正確な分配をすることができる。
【図面の簡単な説明】
【００２４】
【図１】本発明の実施形態による開放位置における装置の側面図。
【図２】本発明の実施形態による閉鎖位置における装置の側面図。
【図３】ユーザーによって保持された本発明の実施形態による装置の斜視図。
【図４】ユーザーによって保持された本発明の実施形態による別の装置の斜視図。
【図５】本発明の実施形態によるディスペンサーの斜視図。
【図６】本発明の実施形態による固定部材を備えた密閉部の部分的断面図。
【図７】本発明の実施形態による閉鎖位置における別のディスペンサーの斜視図。
【図８】本発明の実施形態による開放位置における図６に示されるディスペンサーの斜視図。
【発明を実施するための形態】
【００２５】
図１は出口３を備えたディスペンサー６及び出口３を閉じる密閉部４を有する装置１を示す。装置１は出口３が開いている開放位置で示される。開放位置で、装置１は、出口３からの材料を所望の場所に分配するために使用することができる。
【００２６】
ディスペンサー６は枢動可能に相互連結した密閉部４及び本体５を有する。したがって密閉部４及び本体５は互いに対して移動可能又は回転可能である。実施例で相互連結部はヒンジ８によって形成される。その結果、密閉部４は、図２に示されるように出口３をふさぐ閉鎖位置の方へ本体５に対して移動することができる。閉鎖位置で分配される材料が出口を通過するのを防止するように、出口は密閉部４によって好ましくは封止される。
【００２７】
図１及び２に示すように装置１は、一般的に長手方向軸線Ａに沿って長手方向寸法を有する。長手方向寸法は、材料を分配するために出口の方へ移動させる寸法に相当してもよい。長手方向寸法は必ずしも例示するような直線ではなく、曲がってもよく、又は湾曲状の区分を有してもよいことを当業者は認識するであろう。密閉部４は装置１の長手方向軸線Ａに横方向に本体５に対して回転可能である。例えば密閉部４は、長手方向軸線Ａからオフセットして配置され、長手方向軸線Ａに一般的に垂直である第１の回転軸線のまわりで、実質的に回転可能であってもよい。示される構成は、密閉部４及び出口３が互いに十分に離れて移動することを可能にし、装置１の使用中に密閉部が分配される材料で汚染される可能性を低減する。更に、密閉部４及び本体５が互いに対して移動する間、密閉部４は本体５に取り付けられたままなので、密閉部４が損失するのを防止することができる。
【００２８】
密閉部４及び本体５は、少なくとも閉鎖位置で互いに固定係合するように更に適合される。したがって、密閉部は閉鎖位置で好ましくは保持され、装置１の貯蔵及び／又は輸送に有利であり得る。密閉部４は固定部材７を有する。固定部材７は、例えばユーザーによって開放位置の方に移動させることができるように、密閉部の固定を解除させることが好ましい。したがって固定部材７はデフォルトで固定位置に位置されてもよい。その結果、固定部材７は、固定位置と固定解除位置との間で移動可能である。図２は固定部材７が、閉鎖位置で密閉部４を本体５と固定した状態の装置を示す。固定部材７は、示される位置から固定解除位置（破線で示される）の方へ移動可能で、密閉部と本体との固定を解除することをもたらす。固定解除位置で、密閉部及び本体が閉鎖から開放位置の方へ回転することが可能になる。固定部材７は、更に固定と固定解除位置との間で移動が制限されてもよい。具体的には、固定解除から固定位置の方向に（図中左の方へ）固定部材７が固定位置から更に移動しないように拘束されてもよい。これは例えば固定部材と密閉部との間に介在する可撓性ストラップによって達成されてもよい。固定部材が、固定から固定解除位置の方へ移動するとき、ストラップはたわんでもよいが、実質的に伸長可能ではない。その結果ユーザーは固定部材を、所望しない方向に操作するのを防止することができる。
【００２９】
固定部材を固定解除位置の方へ移動させることは、図２に示すように固定部材に加えられる作動力Ｆによって生じさせることができる。作動力Ｆは本体５に対して加えられることが好ましい。例えば、力が固定部材７に加えられている間、本体は保持されてもよい。固定位置から固定解除位置の方へ固定部材を移動させるための作動力の好適な方向は、以下でより詳細に説明するように固定部材の構成（例えば配置及び形状）によってあらかじめ設定される。長手方向軸線Ａに横方向に配置されるように作動力の方向が好ましくはあらかじめ設定される。更に作動力の方向は、第１の回転軸線に対して一般的に横断する、例えばヒンジによって提供されるが、第１の回転軸線と交差しない線に沿ってあらかじめ設定されてもよい。その結果、固定部材の作動は、第１の回転軸線のまわりで、本体５と密閉部４との間にトルクも好ましくは生じさせる。したがって装置が、本体５に保持されるとき、固定部材に加えられる作動力ＦはトルクＴを生じさせ、密閉部を開放位置の方へ付勢する。その結果、固定解除位置に届くまで作動力Ｆが維持される場合、密閉部は固定解除され、次に開放位置の方へ回転し得る。この方法で、密閉部及び本体を互いに解除すること、並びに密閉部及び本体を開放位置の方に移動させることは、単一の操作手順で行われ得る。これは装置の操作を容易にし得、特に図３に更に例示するように、片手だけを使った操作で装置の開口を可能にし得る。
【００３０】
装置１は容器２を更に有する。示される実施例では、容器２は瓶の形状である。材料を分配するためにユーザーが強く握ることができるように、瓶は可撓性であってもよい。容器２は、ディスペンサー６によって覆われる開口部を好ましくは有する。開口部は、製造中に容器の中に材料を都合よく充填することができるように、十分に大きくすることができる。その一方で、装置が使用されるとき、ディスペンサー６は材料の制御された分配を可能にし得る。容器２は、装置１を保持するために更に使用し得る。その結果、容器２は、固定部材を作動させるため及び密閉部４を開くために、ユーザーが容器２において都合よく装置１を保持することを可能にし得る。
【００３１】
図３は、ユーザーの手中に保持される装置１を示す。ユーザーは、固定部材７をユーザーの親指の方に配置させて、容器（見えない）において装置１を保持する。装置の残部に対する固定部材の形状及び位置は、固定部材が装置の長手方向寸法Ａに一般的に横方向に作動するようになっている。したがって装置は、その構成によって、密閉部４を開放位置の方へ付勢するトルクを与える作動力Ｆの配置をあらかじめ設定する。
【００３２】
図４に示すように装置１’の固定部材７’は、密閉部４’を開放位置の方へ付勢するのに好適なトルクを同様に提供する異なる形状を有してもよい。類似の又は同等の効果を提供する固定部材の更なる形状及び／又は位置を、当業者は提供することができるであろう。それらは本発明の範囲に含まれる。
【００３３】
図５はディスペンサー６の斜視図である。例示するように、ディスペンサー６は、１つの部品を形成する本体５及び密閉部４を有する。実施例で、本体５及び密閉部４は、リビングヒンジ１８によって相互連結される。ディスペンサー６は、出口３を含む滴下ノズル９を更に有する。滴下ノズル９は本体５から突出する。本体５は、容器の出口（図示せず）と連結するように好ましくは適合される入口１０（見えない）を更に有する。実施例で、ディスペンサー６の本体５は、容器の端部を受け入れるキャップを形成する。本体のキャップは、例えば、容器の対応する雄ねじを係合する雌ねじを含んでもよい。例えば、スナップカップリング、接着カップリング、又は雌ねじが容器に配置され雄ねじがディスペンサー６に配置されるカップリングのようなディスペンサー６を容器と連結させることができる他の構成を当業者は認識するであろう。ディスペンサーを容器に適切に保持することができる他のカップリングも可能であり得る。
【００３４】
滴下ノズルは、本体とは別個の構成要素によって形成されてもよい。この場合滴下ノズルは、容器の開口部に受け入れられることができるプラグを有してもよく、装置が組み立てられるとき、ディスペンサーの本体の穴を通って突出してもよい。したがって異なる滴下ノズルを類似設計の本体と共に使用し得る。異なる構成の滴下ノズルを必要とするディスペンサーに比べて、類似のディスペンサーはより大量に製造することができるので、これは例えば製造中のコストを節約することができる。
【００３５】
図５のディスペンサー６は、密閉部４が出口３を開く開放位置で示す。しかしながらリビングヒンジ１８は、密閉部４及び本体５が、互いに対して閉鎖位置の方へ回転することを可能にする。密閉部４及び本体５が中間位置から封鎖位置又は開放位置のどちらかの方へ押し出されるように、ディスペンサー６のリビングヒンジ１８は例示するように双安定であってもよい。この実施形態及び他の実施形態で、ヒンジ１８は、実質的に横断方向に配置された、例えばディスペンサー６の長手方向軸線Ａ’に関して一般的に垂直の第１の回転軸線を与えてもよい。示されるリビングヒンジは、固定した回転軸線を有さない場合があるが、ヒンジが動くにつれて、回転軸線に横方向に移動する回転軸線をもたらし得ることに留意されたい。第１の回転軸線は、ディスペンサーの長手方向軸線Ａ’から好ましくはオフセットしている（第１の回転軸線と長手方向軸線とは交差しない）。密閉部４は、約１８０°まで回転可能であってもよい。その結果、密閉部４は、分配のためのノズルの正確な位置決めに好ましくは影響しないように、開放位置でノズルから充分に離れて移動することができる。
【００３６】
本体５において、ディスペンサー６は、更に第１の保持要素１１を有し、密閉部４は第２の保持要素１２を有する。第１の保持要素１１及び第２の保持要素１２は、互いに固定係合するように適合され、密閉部及びディスペンサー６を閉鎖位置に保持する。したがって、密閉部４及び本体５は、閉鎖位置で互いに固定され得る。
【００３７】
図６は、固定部材７及び第１の保持要素１１をより詳細に示す。固定部材７は作動装置１３を有する。示される実施例で、作動装置１３は、固定部材７の少なくとも一部分を形成するレバーの自由端によって形成される。実施例で、固定部材７は、例えば、作動装置に対向する連結部分１４において密閉部４に更に接続される。示される構成で、固定部材は固定位置で位置する。固定部材７の作動装置１３は、長手方向軸線Ａに一般的に横方向に固定解除位置の方へ移動可能である。更に固定部材は、実施例で連結部分１４によってもたらされる天然素材の弾性によって、固定位置で好ましくは弾力的に保持される。実施例の連結部分１４は、密閉部４及び固定部材７と共に１つの部品を形成する。作動装置１３と連結部分１４との間に支持体１５が配置されてもよい。支持体１５は固定部材７に配置され、固定部材７が固定解除位置の方へ移動するとき密閉部４に接するように適合される。支持体は、密閉部に同様に配置されてもよく、又は協働する２つの支持体が固定部材及び密閉部にそれぞれ配置されてもよいことを当業者は認識するであろう。したがって、固定部材に配置される支持体とのみ今後呼ぶが、上述の他の構成又は当業者に認識可能な他の構成も含まれるものとする。固定部材が固定解除位置の方へ（図中、左から右の方へ）移動するとき、支持体１５が密閉部４に触れるまで、固定部材はまず連結部分１４を中心にして枢動する。したがって、支持体が密閉部から離間している固定部材の最初のストローク中、連結部分１４は固定部材にとって第１の枢軸を形成する。固定部材が、固定解除位置の方へ更に移動するとき固定部材７は支持体１５を中心にして枢動する。したがって、支持体１５が密閉部４に接する次のストローク中、支持体１５は固定部材７にとって第２の枢軸を形成する。
【００３８】
したがって、密閉部の固定を解除する固定部材７の作動中に、固定部材は、第１の枢軸及び第２の枢軸を中心にして順次枢動するように好ましくは適合される（この図では示さず）。これは最初のストローク中及び次のストローク中に、固定部材７が、異なる経路で第２の保持要素１２を移動させることを好ましくは可能にする。例えば次のストロークで保持要素１２は支持体１５の周りを比較的大きな円Ｃ２上に移動することができる。これは密閉部及び本体の固定を解除するために、第１の保持要素と第２の保持要素との間に十分な横変位を好ましくはもたらす。更に最初のストロークで、保持要素１２は連結部分１４の周りを比較的小さい円Ｃ１上に移動することができる。これによって第１の保持要素は、主に装置の長手方向に第２の保持要素から離れて変位することができる。したがって、次のストロークで保持要素が主として長手方向軸線に横方向に変位する前に、最初のストローク中に、密閉部と本体との間の前張力が取り除かれ得る。これは密閉部及び本体の固定を解除するために必要とされる作動力を低減することができ、その結果、固定部材の作動を比較的便利にすることができる。
【００３９】
図７及び図８はそれぞれ、閉鎖位置及び開放位置で、密閉部２４を備えたディスペンサー２６の断面図を示す。ディスペンサー２６及び密閉部２４は、図１〜６に示す実施形態に一般的に一致し得るが、実施例のディスペンサー２６及び密閉部２４は、組み立てたヒンジ２８によって相互連結する２つの部品である。ディスペンサーは、容器の対応するねじ山と係合するねじ山を有する（図示せず）。しかしながらディスペンサーを容器に保持させる他の構造も可能であり得る。
【００４０】
図７及び８はまた、図１〜６の実施形態で同様に使用され得る滴下ノズル２９をより詳細に示す。滴下ノズル２９は、開口部３１を備えた通路３０を有する。開口部は、容器からノズルを通って押し出される分配される材料、例えば、液体の流量を制限する通路のくびれを好ましくは形成する。それによって正確かつ制御された分配が達成され得る。通路３０は、更に口３２を有し得る。口３２は、通路３０を封止する密閉部の突出部３３を受け入れるように、好ましくは適合される。実施例で突出部は、密閉部４及び容器の閉鎖位置で、口３２を覆うバルジを形成する。ノズルを封止するのに他の構造、例えば、突出部上に又は突出部の代わりに、ピン、プラグ、又は密閉部の内部に平坦面等が使用され得ることを当業者は認識するであろう。更に柔軟な封止部材（例えば、ゴム、シリコーン又は熱可塑性エラストマー製）が、密閉部の内部に配置されてもよく、閉鎖位置でノズルと密閉部との間で押されて出口又は口３２を封止する。
【００４１】
ディスペンサー及び密閉部は、ポリプロピレン（ＰＰ）、ポリエチレン（ＰＥ）、ポリオキシメチレン（ＰＯＭ）、ポリブチレンテレフタレート（ＰＢＴ）、アクリロニトリルブタジエンスチレン（ＡＢＳ）、ポリアミド（ＰＡ）の中から選択されたプラスチック材料で成形されてもよい。ＰＰは、ヒンジの高耐久性のみならず、ディスペンサー及び密閉部の十分な機械的安定性を提供する特性で利用することができるので、特に有利であり得る。
【００４２】
容器は、充填容積１０ｍＬまで、好ましくは約２ｍＬ〜８ｍＬの充填容積を有し得る。
【図１】
2013510051.tif 000003
【図２】
2013510051.tif 000004
【図３】
2013510051.tif 000005
【図４】
2013510051.tif 000006
【図５】
2013510051.tif 000007
【図６】
2013510051.tif 000008
【図７】
2013510051.tif 000009
【図８】
2013510051.tif 000010
【国際調査報告】
2013510051.tif 000011
2013510051.tif 000012